(57)【要約】【課題】複雑な装置、システムを用いることなく不正行為を検出するとともに、不正行為者に不正行為を検知した事実を気づかれることなくホールスタッフに当該事実を報知し、不正行為者を店外への逃亡前に確実に取り押さえること。【解決手段】  遊技機１において、不正を検知する検知手段と、前記検知手段から出力があると不正報知指令を出力する判定手段と、遊技機の一部に配設され、前記不正報知指令に基づき不正が検知された遊技機から不正報知光を当該遊技機以外の任意の照射場所に対して照射状態が遊技者に気づかれないよう光学的に照射することにより不正が行われている遊技機を特定して報知する報知手段２を備えた遊技機。【選択図】図１
2010075349.tif 000002
【特許請求の範囲】
【請求項１】
遊技機において、
不正を検知する検知手段と、
前記検知手段から出力があると不正報知指令を出力する判定手段と、
遊技機の一部に配設され、前記不正報知指令に基づき不正が検知された遊技機から不正報知光を当該遊技機以外の任意の照射場所に対して照射状態が遊技者に気づかれないよう光学的に照射することにより不正を報知する報知手段を備えた
ことを特徴とする遊技機。
【請求項２】
請求項１において、
前記任意の照射場所が、不正行為が行われている遊技機付近の上部の遊技場天井である
ことを特徴とする遊技機。
【請求項３】
請求項１において、
前記任意の照射場所が、不正行為者からは直接目視することができない遊技場の壁面である
ことを特徴とする遊技機。
【請求項４】
請求項１において、
前記任意の照射場所が、不正行為が行われている遊技機の左右どちらかまたは両方の隣接した遊技機の一部である
ことを特徴とする遊技機。
【請求項５】
請求項１ないし請求項４において、
前記任意の照射場所に対して不正行為が行われている遊技機および不正行為の種類を示す文字情報が表示される
ことを特徴とする遊技機。
【請求項６】
請求項１ないし請求項５において、
前記報知手段が、レーザーポインターである
ことを特徴とする遊技機。
【請求項７】
請求項１ないし請求項５において、
前記報知手段が、ＬＥＤポインターである
ことを特徴とする遊技機。
【請求項８】
請求項１ないし請求項７において、
前記報知手段に対する別系統の電源またはおよび別系統の出力手段を備えた
ことを特徴とする遊技機。
【発明の詳細な説明】
【技術分野】
【０００１】
本発明は、遊技機において、不正を検知する検知手段と、前記検知手段から出力があると不正報知指令を出力する判定手段と、遊技機の一部に配設され、前記不正報知指令に基づき不正が検知された遊技機から不正報知光を当該遊技機以外の任意の照射場所に対して照射状態が遊技者に気づかれないよう光学的に照射することにより不正が行われている遊技機を特定して報知する報知手段を備えた遊技機に関するものである。
【背景技術】
【０００２】
従来より、一部の遊技者により、磁石や電波を用いたり、または、盤面を叩く、ワイヤーを用いるといった様々な不正行為が行われ、これを取り締まる防犯システムの導入がホール運営上重要な問題となっていた。
【０００３】
このような事態に鑑み、従来の第１の遊技機においては、図１２に示されるように、遊技機本体に配設されている赤外線送信装置Ｔから、遊技機の上方に配設された赤外線受信装置Ｒに不正を検知したパルスパターンが伝送されることによって、遊技機の上方に配設された警告灯Ｌを点灯させることにより、不正行為が行われていることを報知するものであった。
【特許文献１】特開２００１−０００７１４
【０００４】
また、従来の第２の遊技機においては、図１３に示されるように、各遊技機本体に配設された検出ユニットＳによって検出された検出情報を、赤外線通信ユニットＩＵおよび島中継ユニットＲＵを介してパーソナルコンピュータＰＣによって集中管理するものであった。
【特許文献２】特開２００２−２１０１８５
【発明の開示】
【発明が解決しようとする課題】
【０００５】
しかしながら、上記従来の第１の遊技機においては、図１２に示されるように、前記赤外線送信装置Ｔから前記赤外線受信装置Ｒに不正を検知したことを示すパルスパターンが伝送された際に、遊技機の上方に配設された警告灯Ｌを点灯させるものであるため、不正を検出したという事実を、ホールスタッフに報知するのみならず、近くの遊技者やその遊技機において遊技をしている遊技者本人にもその事実を知られてしまうものであった。
すなわち、このことは不正行為を行った遊技者本人に不正が発覚したことを知らしめることになり、その後、当該遊技者が不正行為を継続することを防止する抑止力の効果はあったとしても、逆に、かかる報知行為が当該遊技者の店外への逃亡の契機ともなり、不正行為を行った遊技者を確実に取り押さえることができないという問題があった。
【０００６】
また、上記従来の第２の遊技機においては、図１３に示されるように、各パチンコにおける検出情報を前記パーソナルコンピュータで集中管理するため、前記赤外線通信ユニットＩＵおよび島中継ユニットＲＵ等の情報の伝送を実現する通信用の部材を新たに別途設けることが必要であり、このことは部品点数の増加につながるとともに、各パチンコ機、各部材との間の互換性の問題や、複雑なシステムを導入しなければならないという問題につながるものであった。さらには、かかるシステムにおいては、当然に集中管理室に人員を割くことが前提となっており、集中管理室に担当者が不在の場合には、前記システムが有名無実化するとともに、また、担当者が集中管理室に駐在していた場合であっても、担当者からホールスタッフへの連絡が遅れるようなことがあっては、せっかく不正行為を検出していたとしてもこれを有効に取り締まることができないという問題があった。
【０００７】
そこで本発明者らは、遊技機において、不正を検知する検知手段と、前記検知手段から出力があると不正報知指令を出力する判定手段と、遊技機の一部に配設され、前記不正報知指令に基づき不正が検知された遊技機から不正報知光を当該遊技機以外の任意の照射場所に対して照射状態が遊技者に気づかれないよう光学的に照射することにより不正が行われている遊技機を特定して報知する報知手段を備えるという本発明の技術的思想に着眼して、さらに研究開発を重ねた結果、複雑な装置、システムを用いることなく不正行為を検出するとともに、不正行為者に不正行為を検知した事実を気づかれることなくホールスタッフに当該事実を報知することができ、その結果、不正行為者を店外への逃亡前に確実に取り押さえることができるという目的を達成する本発明に到達した。
【課題を解決するための手段】
【０００８】
本発明（請求項１に記載の第１発明）の遊技機は、
遊技機において、
不正を検知する検知手段と、
前記検知手段から出力があると不正報知指令を出力する判定手段と、
遊技機の一部に配設され、前記不正報知指令に基づき不正が検知された遊技機から不正報知光を当該遊技機以外の任意の照射場所に対して照射状態が遊技者に気づかれないよう光学的に照射することにより不正が行われている遊技機を特定して報知する報知手段を備えた
ものである。
【０００９】
本発明（請求項２に記載の第２発明）の遊技機は、
前記第１発明において
前記任意の照射場所が、不正行為が行われている遊技機付近の上部の遊技場天井である
ものである。
【００１０】
本発明（請求項３に記載の第３発明）の遊技機は、
前記第１発明において、
前記任意の照射場所が、不正行為者からは直接目視することができない遊技場の壁面である
ものである。
【００１１】
本発明（請求項４に記載の第４発明）の遊技機は、
前記第１発明において、
前記任意の照射場所が、不正行為が行われている遊技機の左右どちらかまたは両方の隣接した遊技機の一部である
ものである。
【００１２】
本発明（請求項５に記載の第５発明）の遊技機は、
前記第１発明ないし第４発明において、
前記任意の照射場所に対して不正行為が行われている遊技機および不正行為の種類を示す文字情報が表示される
ものである。
【００１３】
本発明（請求項６に記載の第６発明）の遊技機は、
前記第１発明ないし前記第５発明において、
前記報知手段が、レーザーポインターである
ものである。
【００１４】
本発明（請求項７に記載の第７発明）の遊技機は、
前記第１発明ないし前記第５発明において、
前記報知手段が、ＬＥＤポインターである
ものである。
【００１５】
本発明（請求項８に記載の第８発明）の遊技機は、
前記第１発明ないし前記第７発明において、
前記報知手段に対する別系統の電源またはおよび別系統の出力手段を備えた
ものである。
【発明の効果】
【００１６】
上記構成より成る第１発明の遊技機は、遊技機において、不正を検知する検知手段と、前記検知手段から出力があると不正報知指令を出力する判定手段と、遊技機の一部に配設され、前記不正報知指令に基づき不正が検知された遊技機から不正報知光を当該遊技機以外の任意の照射場所に対して照射状態が遊技者に気づかれないよう光学的に照射することにより不正が行われている遊技機を特定して報知する報知手段を備えたので、複雑な装置、システムを用いることなく不正行為を検出するとともに、不正行為者に不正行為が行われている事が検知されていることを気づかれることなくホールスタッフに当該事実を報知することができるため、その結果、不正行為者を店外への逃亡前に確実に取り押さえることができるという効果を奏する。
【００１７】
上記構成より成る第２発明の遊技機は、前記第１発明において、前記任意の照射場所が、遊技者にとって盲点である不正行為が行われている遊技機付近の上部の遊技場天井であるので、通常不正行為を行う対象たる遊技機の方もしくはホールスタッフ等に気づかれないよう通路の方を注視している遊技者に対して、不正行為が行われている事が検知されていることを通常の注意力では気づかれることなくホールスタッフにのみ不正行為を検知した事実を報知することができ、その結果、不正行為者を店外への逃亡前に確実に取り押さえることができるという効果を奏する。
【００１８】
上記構成より成る第３発明の遊技機は、前記第１発明において、前記任意の照射場所が、不正行為者にとって斜め後方でホールスタッフにとって見易い遊技場の壁面であるので、不正行為者に不正行為が行われている事が検知されていることを通常の注意力では気づかれることなくホールスタッフにのみ不正行為を検知した事実を報知することができ、その結果、不正行為者を店外への逃亡前に確実に取り押さえることができるという効果を奏する。
【００１９】
上記構成より成る第４発明の遊技機は、前記第１発明において、前記任意の照射場所が、不正行為が行われている遊技機の左右どちらかまたは両方の隣接した遊技機の一部であるので、当該隣接した遊技機を不正行為者が目視することがあったとしても、当該報知行為を隣の遊技機における演出その他の表示であると錯覚させることができるため、効果的にカモフラージュできるとともに、不正行為者に不正報知を行っていることを気づかれることなくホールスタッフにのみ不正行為を検知した事実を報知することができるため、不正行為者を店外への逃亡前に確実に取り押さえることができるという効果を奏する。
【００２０】
上記構成より成る第５発明の遊技機は、前記第１発明ないし第４発明において、前記任意の照射場所に対して不正行為が行われている遊技機および不正行為の種類を示す文字情報が表示されるので、色情報のみならず、例えば遊技機を特定するための識別番号、不正行為の態様等の多数の情報を瞬時に報知することが可能となるという効果を奏する。
【００２１】
上記構成より成る第６発明の遊技機は、前記第１発明ないし第５発明において、前記報知手段が、レーザーポインターであるので、指向性を有する光によって光の軌跡を把握されることなく前記任意の場所に安価且つ鮮明に遠くの場所にも不正報知でき、光の軌跡が何らかの対象に映し出されることによる不正報知の発覚を防止できるため、不正行為者に不正報知を行っていることを気づかれることなくホールスタッフにのみ不正行為を検知した事実を報知することができ、不正行為者を店外への逃亡前に確実に取り押さえることができるという効果を奏する。
【００２２】
上記構成より成る第７発明の遊技機は、前記第１発明ないし第５発明において、前記報知手段が、ＬＥＤポインターであるので、指向性を有する光によって光の軌跡を把握されることなく前記任意の場所に安価且つ安全に不正報知でき、光の軌跡が何らかの対象に映し出されることによる不正報知の発覚を防止できるため、不正行為者に不正報知を行っていることを気づかれることなくホールスタッフにのみ不正行為を検知した事実を報知することができ、不正行為者を店外への逃亡前に確実に取り押さえることができるという効果を奏する。
【００２３】
上記構成より成る第８発明の遊技機は、前記第１発明ないし前記第７発明において、前記報知手段に対する別系統の電源またはおよび別系統の出力手段を備えたので、仮に、不正行為者があらかじめ主電源や出力装置等を切断・破損等させた場合にも、通路を巡回するホールスタッフに不正を検知した事実を報知することが可能となり、その結果、あらかじめ対策を講じて万全であると信じ油断している不正行為者を店外への逃亡前に確実に取り押さえることができるという効果を奏する。
【発明を実施するための最良の形態】
【００２４】
以下本発明の最良の実施の形態につき実施例に基づき、図面を用いて説明する。
【実施例１】
【００２５】
本第１実施例の遊技機は、遊技機１において、図示しない、不正を検知する検知手段と、前記検知手段から出力があると不正報知指令を出力する判定手段と、遊技機の一部に配設され、前記不正報知指令に基づき不正が検知された遊技機から不正報知光を当該遊技機以外の任意の照射場所に対して照射状態が遊技者に気づかれないよう光学的に照射することにより不正が行われている遊技機を特定して報知する報知手段２を備えているものである。
【００２６】
前記遊技機１の前面枠３には、図１に示されるように、その右側下方に遊技者が遊技球を打ち出すための打球槌３３が配設され、また、その遊技領域を覆うとともに、遊技者が打ち出した遊技球の行方を追うための、すなわち、遊技状態を視認可能とするためのガラス窓４が配設されている。また、前記前面枠３の上端部には、前方方向へ突出形成されている突出形成部３０が配設され、その両側側方、すなわち、遊技盤面の左右端部には、中央方向に向かって緩やかに傾斜した傾斜部３１が配設されている。
【００２７】
また、前記不正検知手段および判定手段は、振動センサにより所定の振幅より大きな振動を検知したり、ピアノ線その他の異物が遊技機本体内に挿入されたことを検知したり、遊技球の通過時間の変化を検知したり、必要に応じて、その他の検知手段および方法によって検知した出力に基づき、不正判定を行い、不正と判定した時には不正報知指令を出力するものである。
【００２８】
前記報知手段２は、図１および図２に示すように、前記遊技機１の前記突出形成部３０の上面３００の略中央に埋設され、その放射面２０から一定距離下方の部位の遊技機内に内蔵されたレーザーポインター２００によって不可視な直線状の赤色光を放射し、遊技場天井５における当該遊技機１の上部天井または遊技機１の前に座っている遊技者の上方の位置に相当する部位に照射面５０、５１に赤色光を点灯表示するものである。すなわち、図２から明らかなように、前記レーザーポインター２００の上面は、前記放射面２０より下方に位置する。
【００２９】
前記報知手段２は、図４において示すフローチャートの手順に従って、通常状態においては、前記レーザーポインター２００を非点灯とし、図示しない前記検知手段によって遊技者による何らかの不正行為が検出され、前記判定手段によって不正行為判定され、報知指令が出力された場合には、前記レーザーポインター２００を点灯させ、前記放射面２０を介して遊技場天井５に対して放射して照射面５０に赤色光を表示点灯することで当該遊技機１の上部天井に点灯された照射面５０の位置によって不正行為が行われた遊技機を報知する構成となっている。
【００３０】
以下上記構成より成る本第１実施例の遊技機の作用・効果について説明する。
【００３１】
上記構成より成る本第１実施例の遊技機１において、不正行為を試みる遊技者が、何らかの不正行為を現に行い、図示しない検知手段により当該行為が検知されると、当該検知手段の出力情報に基づき前記判定手段が不正行為があったことを判定し、報知手段２に対して報知指令を出力する。かかる報知指令に従って、前記報知手段２は、通常状態を示す前記レーザーポインター２００の非点灯状態から切り替え、前記放射面２０を介して前記照射面５０に赤色レーザー光を放射させるものである。
【００３２】
上記作用を奏する第１実施例の遊技機は、ほとんどの遊技機の上部天井において何ら光が照射されていない中で、不正行為が行われている遊技機の上部天井にのみ形成された前記照射面５０のみ赤色点灯されるので浮き彫りとなり、店内を巡回するホールスタッフが、複数台の遊技機が並んで配設されている中から瞬時に不正行為が行われている遊技機を把握することが可能となるという効果を奏する。
【００３３】
また、第１実施例の遊技機は、前記報知手段２が、遊技機の前記突出形成部３０の上面３００に配設され不正報知を行うものであるため、遊技盤に対して正面に座っている遊技者からは前記報知手段２の放射面２０を直接目視することができず、さらに、不正行為が行われている遊技機の上部天井において不可視の赤色レーザー光により不正報知を行うので、通常不正行為を行う対象たる遊技機の方もしくはホールスタッフ等に気づかれないよう通路の方を注視している遊技者に対して、不正報知を行っていることを気づかれることなく、ホールスタッフのみが不正行為が行われた事実およびその遊技機を把握することができ、その結果、不正行為者を店外への逃亡前に確実に取り押さえることができるという効果を奏する。
【００３４】
さらに、上記作用を奏する第１実施例の遊技機は、前記報知手段２が中間の放射光が不可視のレーザーポインター２００のレーザー光によって照射面５０に対して点灯表示して報知するので、指向性を有する不可視光によって光の軌跡を把握されることなく遊技場天井５に不正報知でき、光の軌跡が何らかの対象に映し出されることによる不正報知の発覚を防止できるため、不正行為者に不正報知を行っていることを気づかれることなくホールスタッフにのみ不正行為を検知した事実を報知することができ、不正行為者を店外への逃亡前に確実に取り押さえることができるという効果を奏する。
【実施例２】
【００３５】
本第２実施例の遊技機においては、図６（Ａ）に示すように、放射面２０の中央部の内面に、前記判定手段からの判定指令に基づき島内の遊技機の番号および不正行為の種類を示すアルファベット（Ｐ：ピアノ線ゴト、Ｍ：磁石ゴト等）を選択的に表示することができる半透明のシート２０１が貼着されている。
【００３６】
本第２実施例の遊技機は、図４および図５に示されるように、不正報知を遊技場壁面６に対して行う点、さらに、不正行為が行われている遊技機および不正の種類を示す文字情報によって報知する点が、上述の第１実施例との主な相違点であり、以下相違点を中心に説明する。
【００３７】
本第２実施例の遊技機１は、図４および図６（Ａ）に示すように、上述の第１実施例と同様に、前記報知手段２が前記突出形成部３０の上面３００の略中央に突設され、一方の側面に配設された放射面２０から一定距離内方の部位に上方に傾斜して配設されたＬＥＤポインター２００によって線状の不可視光を放射し、遊技場壁面６に配設された表示板６０に対して不正報知を行うものである。
【００３８】
前記表示板６０は、図６（Ｂ）当該に示すように対向する遊技機１に向かって背中合わせで座る遊技者の間に形成される横方向の通路の延長線の上部の壁面に配設されており、遊技機１の前に座った状態では、当該遊技機１に向かう遊技者の視界から外れた位置の壁面６の上部に位置するため、遊技者から当該表示板６０が直接目視できない位置関係となっている。
【００３９】
上記構成より成る本第２実施例の遊技機１において、不正行為を試みる遊技者が、何らかの不正行為を現に行い、図示しない検知手段により当該行為が検知されると、当該検知手段の出力情報に基づき前記判定手段が報知手段２に対して不正行為が行われたことと、不正行為の種類に関する報知指令を出力する。かかる報知指令に従って、報知手段２において、次にＬＥＤポインター２００が点灯されるので、不可視の放射光が遊技機番号および不正行為の種類を表示している半透明シート２０１を通過して放射面２０を介して遊技場壁面６に配設された前記表示板６０に対して照射することにより不正報知を行うものである。
【００４０】
不正報知の種類としては一例として、図７（Ａ）および（Ｂ）に示すように、不正行為の種類がピアノ線ゴトである場合には「Ｐ」を、磁石を用いたゴトである場合には「Ｍ」を、次に、島番号、その島内において割り当てられた遊技機番号等文字情報を、前記半透明シート２０１に表示して、放射光をかかる半透明シート２０１に通過させることにより前記表示板６０に照射することによって報知するものである。
【００４１】
上記作用を奏する第２実施例の遊技機は、第１実施例の遊技機と同様、前記報知手段２が、遊技機の前記突出形成部３０の上面３００に突設され、側面の放射面２０からＬＥＤ不可視光により不正報知を行うものであるため、遊技盤に対して正面に位置する遊技者からは前記報知手段２の放射面２０から放射される放射光を直接目視することができず、さらに、不正行為が行われている遊技機の図６（Ｂ）に示されるように斜め後方の壁面に配設された前記表示板６０において不正報知を行うものであるため、遊技機の正面を向いている不正行為者に不正報知を行っていることを気づかれることなくホールスタッフにのみ不正行為が行われている事を報知することができ、その結果、不正行為者を店外への逃亡前に確実に取り押さえることができるという効果を奏する。
【００４２】
また、上記作用を奏する第２実施例の遊技機は、上述したように、前記表示面６０において、文字情報によって不正報知を行うものであるため、色情報のみならず、不正行為の種類、島番号、遊技機番号その他所定の条件に従ってあらかじめ設定された情報をホールスタッフが瞬時に把握できるという効果を奏する。
【実施例３】
【００４３】
本第３実施例の遊技機は、図８および図９に示されるように、遊技機上部の突出形成部３０の両側側面に内蔵した報知手段２によって不正報知を行う点、および、当該不正報知を不正行為が行われた遊技機１に隣接した遊技機１０の側面を照射することにより行う点が、上述の第１実施例との主な相違点であり、以下相違点を中心に説明する。すなわち、遊技機の左右側面に遊技機の中央方向に向かって緩やかに傾斜した傾斜部３１の側面３１１にＬＥＤポインター２１が埋設されている。
【００４４】
本第３実施例の遊技機１における報知手段２は、図８（Ａ）ないし（Ｃ）に示されるように、前記傾斜部３１の側面３１１にロの字状に形成された傾斜側壁２２と底部を構成する底面２３によって構成される凹部内において、複数のＬＥＤポインター２１を前記底面２３に例えば一直線上に配設することによって構成されているものである。
【００４５】
前記凹部を形成する傾斜側壁２２および底面２３は、鏡面仕上げされた反射面によって構成され、当該傾斜側壁２２および底面２３に隣接した遊技機の側面に配設されたＬＥＤポインター２１によって光が照射されると、表示面を構成する当該傾斜側壁２２および底面２３自体が高輝度で光り輝いて見えるように構成されているものである。
【００４６】
上記構成より成る本第３実施例の遊技機１において、不正行為を試みる遊技者が、何らかの不正行為を現に行うと、図示しない検知手段により当該行為が検知され、当該検知手段の出力情報に基づき前記判定手段が報知手段２に対して不正報知指令を出力する。かかる不正報知指令に従って、報知手段２は、図９に示すように、前記ＬＥＤポインター２１を点灯させ、放射光が隣接した遊技機１０に配設された対応する前記表示面としての側壁２２および底面２３を照射することにより不正行為を報知するものである。
【００４７】
上記作用を奏する第３実施例の遊技機は、不正行為が行われている遊技機ではなく、当該遊技機に隣接した遊技機における前記側壁２２および底面２３のみが、不正行為が行われている遊技機に配設されたＬＥＤポインターの光によって照射され光り輝くので、不正行為が行われている遊技機に隣接した遊技機を照射することにより、不正行為が行われている遊技機を特定することができるという効果を奏する。
【００４８】
また、上記作用を奏する第３実施例の遊技機は、不正行為が行われている遊技機の左右どちらかまたは両方の隣接した遊技機１０に対して報知するので、当該報知行為による隣接した遊技機１０の前記側壁２２および底面２３の輝きを不正行為者が目視することがあったとしても、当該隣の遊技機１０における演出その他の表示であると錯覚する可能性が高いので、効果的にカモフラージュできるとともに、不正行為者に不正報知が行われていることを気づかれることなくホールスタッフにのみ不正行為を検知した事実を報知することができるため、不正行為者を店外への逃亡前に確実に取り押さえることができるという効果を奏する。
【実施例４】
【００４９】
本第４実施例の遊技機は、図１０に示されるように、不正行為が行われた遊技機１に隣接する遊技機の上面３００の一部または前面の一部を照射することにより、不正報知を行う点が上述の第３実施例との主な相違点であり、以下相違点を中心に説明する。
【００５０】
第４実施例の遊技機は、不正が行われた遊技機１における報知手段を構成するＬＥＤポインター２１、傾斜側壁２２および底面２３は同一の構成であるが、照射される隣接する遊技機の側面内部に前記ＬＥＤポインター２１からの放射光の方向を９０度変更して上方または前方に放射する反射面２４を配設して、反射光により上面３００または前面３２の左端部の表示面を構成する照射面７０を照射することにより不正行為を検知したことを報知するように構成されている。
【００５１】
上記構成より成る第４実施例の遊技機は、ある遊技機１で不正行為が行われると第３実施例と同様に、右側の側面３１１に埋設された前記ＬＥＤポインター２１が点灯され、放射光を側方へ放射するので、隣接する遊技機の左側の側面３１１の内部に配設された反射面によって放射光の方向が９０度変更され、上方または前方の左端に配設された照射面７０を照射することにより、不正行為を報知するものである。
【００５２】
上記作用を奏する本第４実施例の遊技機は、上述した第３実施例と同様の効果を奏する上に、表示面としての照射面７０が通路を走行するホールスタッフが見易い面である遊技機の上面３００または前面３２の左端に配設されているので、ホールスタッフに一層有効に不正行為の報知を行うことができるため、不正行為者が店外に逃亡する前に一層確実に取り押さえることができるという効果を奏する。
【００５３】
上述の実施例は、説明のために例示したもので、本発明としてはそれらに限定されるものではなく、特許請求の範囲、発明の詳細な説明および図面の記載から当業者が認識することができる本発明の技術的思想に反しない限り、変更および付加が可能である。
【００５４】
なお、上述の第１実施例における不正報知態様としては、一例として、レーザーポインター２００による赤色の直線光による場合ついて説明したが、本発明はこれに限定されるものではなく、必要に応じて、その他の色を用いる場合や、赤色の点灯ではなく、赤色の点滅点灯とする場合や、直線光ではなく、放射方向が変化する光を用いる場合や、遊技場天井に対してある一定の面積をもった照射面を形成する広がりをもった光とする場合や、また、単純に単色光を点灯させるのみならず、各種の不正行為に対応して異なった色を点灯させる場合、さらには、色のみならず、文字情報を表示する場合等その他の態様にも適用可能なものである。
【００５５】
また、前記報知手段２のレーザーポインター２００の配設位置について、一例として、前記突出形成部３０の上面３００の下部に埋設する例について説明したが、本発明はこれに限定されるものではなく、正面の遊技者から当該レーザーポインター２００の放射面２０が死角となるような位置および角度で配設できるとともに、その他の態様にも適用可能なものである。
【００５６】
さらに、遊技機１台に対し、コストの抑制の観点より１つの報知手段を配設する例について説明したが、本発明はこれらに限定されるものではなく、その他の場所に、さらには、複数の報知手段を配設する態様や、異なる種類の報知手段も併せて配設する態様や、必要に応じて遊技機ごとに報知手段の数を変える態様にも適用可能なものである。
【００５７】
また、図１１に示すように、遊技機の上面３００に太陽電池８を配設し、検知手段、判定手段および報知手段２等を別系統の電源によって駆動したり、その他の電源を用いる場合や、その他の出力手段および駆動手段を駆動する態様にも適用可能なものである。
【００５８】
上述の第１実施例においては、一例として不正行為が行われた遊技機の上方の天井にレーザー光を照射する例について説明したが、本発明としてはそれに限定されるものではなく、レーザーポインターの向きを変えて、不正行為が行われた遊技機の右隣りまたは左隣りの遊技機の上方の天井にレーザー稿を照射してカモフラージュする態様や、２個のレーザーポインターを用いて不正行為が行われた遊技機の左右の遊技機の上方の天井にレーザー光を照射する態様にも適用可能なものである。
【００５９】
上述の第４実施例においては、一例として不正行為が行われた遊技機の右隣りの遊技機の上面左端の照射面を照射する例について説明したが、本発明としてはそれに限定されるものではなく、右隣りの遊技機の上面左端の照射面を透明板によって置換して、不正が行われた遊技機のＬＥＤポインターからの放射光を当該透明板を通過させ、上方の天井を照射して天井を照射面として不正報知する態様を採用することができるものである。
なお、光照射による不正報知の変形態様として、所定の制御によりケーブルで接続された向かいの遊技機の所定の箇所に不正報知する場合や、椅子の背面部に不正報知する態様も考えられる。
【産業上の利用可能性】
【００６０】
遊技機において、不正を検知する検知手段と、前記検知手段から出力があると不正報知指令を出力する判定手段と、遊技機の一部に配設され、前記不正報知指令に基づき不正が検知された遊技機から不正報知光を当該遊技機以外の任意の照射場所に対して照射状態が遊技者に気づかれないよう光学的に照射することにより不正が行われている遊技機を特定して報知する報知手段を備え、複雑な装置、システムを用いることなく不正行為を検出するとともに、不正行為者に不正行為を検知した事実を気づかれることなくホールスタッフに当該事実を報知し、不正行為者を店外への逃亡前に確実に取り押さえるという用途に適用できる。
【図面の簡単な説明】
【００６１】
【図１】本発明の第１実施例の遊技機における不正報知態様を示す説明図である。
【図２】本第１実施例の遊技機における報知手段の基本構成を示す要部断面図である。
【図３】本第１実施例の遊技機の基本構成を示す説明図である。
【図４】本第１実施例の不正報知の流れを示すフローチャートである。
【図５】本発明の第２実施例の遊技機における不正報知態様を示す説明図である。
【図６】本第２実施例の遊技機における報知手段および不正報知態様例を示す要部断面図および説明図である。
【図７】本第２実施例における不正報知の表示態様例を説明するための説明図である。
【図８】本発明の第３実施例の遊技機における報知手段の要部を示す正面図、上面図および側面図である。
【図９】本第３実施例の遊技機における不正報知の態様を説明するための説明図である。
【図１０】本発明の第４実施例の遊技機における２つの不正報知の態様を説明するための説明図である。
【図１１】本発明の変形例である太陽電池を用いた場合の説明図である。
【図１２】従来の第１の遊技機を示す説明図である。
【図１３】従来の第２の遊技機を示す説明図である。
【符号の説明】
【００６２】
１  遊技機
２  報知手段
３  前面枠
４  ガラス窓
２０  放射面
２００  レーザーポインター
５  遊技場天井
５０  照射面
【図１】
2010075349.tif 000003
【図２】
2010075349.tif 000004
【図３】
2010075349.tif 000005
【図４】
2010075349.tif 000006
【図５】
2010075349.tif 000007
【図６】
2010075349.tif 000008
【図７】
2010075349.tif 000009
【図８】
2010075349.tif 000010
【図９】
2010075349.tif 000011
【図１０】
2010075349.tif 000012
【図１１】
2010075349.tif 000013
【図１２】
2010075349.tif 000014
【図１３】
2010075349.tif 000015